(57)【特許請求の範囲】
【請求項１】
炊飯鍋を着脱可能に収容する炊飯器本体と、該炊飯器本体に開閉可能に取り付けた蓋体と、該蓋体に着脱可能に取り付けて前記炊飯鍋の開口を密閉する内蓋とを備え、前記蓋体は、前記炊飯器本体の開口部を覆う蓋リングと、該蓋リングの上方を覆う蓋カバーとを有し、前記蓋リングに前記内蓋を着脱可能に取り付ける内蓋ロック部を設けた炊飯器において、
前記内蓋ロック部は、前記蓋リングに設けられ、上方を開口したスライド部材配設部、および、該スライド部材配設部の前方に位置するガイド部と、前記スライド部材配設部の前後方向の寸法より小さい全長であり、前記スライド部材配設部に対してスライド可能かつ付勢手段によって後退位置に付勢された状態で配設され、その前方に前記内蓋の受部を着脱可能に係止する係止部を有するとともに、前記ガイド部にガイドされる被ガイド部を有するスライド部材と、前記スライド部材を、前記スライド部材配設部の後端に位置する第１後退位置から、前記被ガイド部をガイド部にガイドさせた第２後退位置に前記付勢手段の付勢力に抗して前方に移動させ、その第２後退位置で停止させる位置決め部材とを備え、前記内蓋の装着により、前記スライド部材が第２後退位置より更に前方に位置する進出位置に移動するようにし、
前記スライド部材配設部は、前記スライド部材の係止部の後側に位置する摺動部を摺動可能にガイドする凹溝部と、該凹溝部の先方に位置し前記係止部を貫通させる貫通部とを備え、前記スライド部材は、前記係止部の係止爪部を、前記被ガイド部の前端から後側に位置するように形成し、かつ、
前記蓋リングのガイド部は、前記内蓋を装着した状態で、前記スライド部材の係止爪部より前方に延びる凸条からなる
ことを特徴とする炊飯器。
【請求項２】
前記位置決め部材は、前記蓋リングの撓みを防止する補強板からなることを特徴とする請求項１に記載の炊飯器。
【請求項３】
前記スライド部材に、前記補強板に向けて突出する位置決め凸部を設けるとともに、前記補強板に、前記第２後退位置から前方に向けて延びる規制溝を設け、前記スライド部材の第２後退位置からの後方への移動を阻止し、前方への移動を可能としたことを特徴とする請求項２に記載の炊飯器。
【発明の詳細な説明】
【技術分野】
【０００１】
本発明は炊飯器に関し、特に、炊飯器の蓋体の構造に関するものである。
【背景技術】
【０００２】
本発明の炊飯器に関連する先行技術文献情報としては次のものがある。
【０００３】
【特許文献１】特開２００５−１５２１１５号公報
【０００４】
この特許文献１の炊飯器は、炊飯鍋を着脱可能に収容する炊飯器本体と、該炊飯器本体に開閉可能に取り付けた蓋体と、該蓋体に着脱可能に取り付けて前記炊飯鍋の開口を密閉する内蓋とを備えている。そして、この蓋体には、開放用の操作部材が回動可能に装着されるとともに、該操作部材の操作に連動するロック部材が配設されている。また、着脱可能な内蓋の取付状態を維持するための内蓋ロック部として、ヒンジの側である後方に向けて付勢手段によって付勢したスライド部材が配設され、このスライド部材の係止部に内蓋の受部を着脱可能に係止する構成としている。なお、この内蓋の取付状態では、スライド部材は、付勢手段の付勢力に抗して前方に進出し、係止部と受部との係止状態が付勢手段の付勢力でもって維持される。
【０００５】
しかしながら、この特許文献１の炊飯器では、内蓋を取り付けていない状態で、スライド部材の後方は蓋体を構成する蓋リングにより支持されているが、前方は何ら支持されていないため、上下方向のガタツキが生じるという問題がある。そして、このガタツキは、スライド部材の横方向のスライド動作に影響を及ぼすため、内蓋の取付作業性が悪くなるという問題がある。
【０００６】
因みに、この問題の発生を防止するためには、内蓋の非取付状態でスライド部材の先端が蓋リングの挿通孔内に位置するように構成することが考えられる。しかし、この場合には、スライド部材を蓋リングに装着する際に、スライド部材を先端から斜め下向きに挿入する必要があるため、組立作業性が悪くなるという問題がある。
【発明の開示】
【発明が解決しようとする課題】
【０００７】
本発明は、従来の問題に鑑みてなされたもので、組立作業性が悪くなることなく、内蓋の取付状態を維持するスライド部材のガタツキを防止できる炊飯器を提供することを課題とするものである。
【課題を解決するための手段】
【０００８】
前記課題を解決するため、本発明の炊飯器は、炊飯鍋を着脱可能に収容する炊飯器本体と、該炊飯器本体に開閉可能に取り付けた蓋体と、該蓋体に着脱可能に取り付けて前記炊飯鍋の開口を密閉する内蓋とを備え、前記蓋体は、前記炊飯器本体の開口部を覆う蓋リングと、該蓋リングの上方を覆う蓋カバーとを有し、前記蓋リングに前記内蓋を着脱可能に取り付ける内蓋ロック部を設けた炊飯器において、前記内蓋ロック部は、前記蓋リングに設けられ、上方を開口したスライド部材配設部、および、該スライド部材配設部の前方に位置するガイド部と、前記スライド部材配設部の前後方向の寸法より小さい全長であり、前記スライド部材配設部に対してスライド可能かつ付勢手段によって後退位置に付勢された状態で配設され、その前方に前記内蓋の受部を着脱可能に係止する係止部を有するとともに、前記ガイド部にガイドされる被ガイド部を有するスライド部材と、前記スライド部材を、前記スライド部材配設部の後端に位置する第１後退位置から、前記被ガイド部をガイド部にガイドさせた第２後退位置に前記付勢手段の付勢力に抗して前方に移動させ、その第２後退位置で停止させる位置決め部材とを備え、前記内蓋の装着により、前記スライド部材が第２後退位置より更に前方に位置する進出位置に移動するようにし、前記スライド部材配設部は、前記スライド部材の係止部の後側に位置する摺動部を摺動可能にガイドする凹溝部と、該凹溝部の先方に位置し前記係止部を貫通させる貫通部とを備え、前記スライド部材は、前記係止部の係止爪部を、前記被ガイド部の前端から後側に位置するように形成し、かつ、前記蓋リングのガイド部は、前記内蓋を装着した状態で、前記スライド部材の係止爪部より前方に延びる凸条からなる構成としている。
【０００９】
この炊飯器では、スライド部材を蓋リングのスライド部材配設部より小さい寸法で形成しているため、上方を開口させたスライド部材配設部材に対して容易に配置することができる。この状態で、スライド部材を付勢手段の付勢力に抗して前方に移動させ、位置決め部材を配設することにより、スライド部材を後端の第１後退位置から、所定間隔前方に移動した第２後退位置に位置決めできる。そして、この第２後退位置では、蓋リングに設けたガイド部にスライド部材の被ガイド部がガイドされる。そのため、内蓋を取り付けていない状態でのスライド部材の先端のガタツキを防止できる。その結果、スライド部材の横方向のスライド動作を安定させることができ、内蓋の取付作業性を向上できるとともに、内蓋の取付精度を向上できる。また、取付精度を向上できるため、内蓋を取り付けた蓋体を炊飯器本体に対して閉塞する際に、内蓋を構成する蓋パッキンが炊飯鍋に過剰に干渉することを防止できる。よって、蓋体の閉塞作業性をも向上できる。しかも、スライド部材が両端でガイドされ、その中間位置で内蓋との係合がなされるため、内蓋の取付作業性および取付精度の向上を確実に実現できる。
【００１０】
この炊飯器では、前記位置決め部材は、前記蓋リングの撓みを防止する補強板からなることが好ましい。
具体的には、前記スライド部材に、前記補強板に向けて突出する位置決め凸部を設けるとともに、前記補強板に、前記第２後退位置から前方に向けて延びる規制溝を設け、前記スライド部材の第２後退位置からの後方への移動を阻止し、前方への移動を可能としている。
このように、位置決め部材として既存の補強板を利用する構成とすれば、部品が増加することがないため、コスト高になることを防止できる。
【発明の効果】
【００１２】
本発明の炊飯器では、スライド部材をスライド部材配設部より小さい寸法で形成しているため、スライド部材配設部材に対するスライド部材の組付作業性を向上できる。そして、位置決め部材を配設した状態では、スライド部材は、被ガイド部をガイド部にガイドさせた第２後退位置に進出するため、内蓋を取り付けていない状態でのスライド部材のガタツキを防止できる。その結果、スライド部材の横方向のスライド動作を安定させることができ、内蓋の取付作業性および取付精度を向上できる。
【発明を実施するための最良の形態】
【００１３】
以下、本発明の実施の形態を図面に従って説明する。
【００１４】
図１は、本発明の実施形態に係る圧力炊飯方式の炊飯器を示す。この炊飯器は、電磁誘導加熱される炊飯鍋１０を着脱可能に収容する炊飯器本体１１と、該炊飯器本体１１に開閉可能に取り付けた蓋体１８とを備え、この蓋体１８に、内蓋６０を着脱可能に取り付けるようにしたものである。
【００１５】
前記炊飯器本体１１は、筒形状をなす胴体１２と、該胴体１２の下端開口を閉塞する底体１３と、前記胴体１２の上端開口を覆うように取り付ける肩体１４とからなる外装体を備えている。この肩体１４は、その中央上部に炊飯鍋１０を着脱可能に配置するための開口部１５を備えている。この開口部１５の下部には、筒状をなす内胴と、非導電性材料からなる受け皿状の保護枠とが配設されている。そして、この保護枠の下部外周面には、炊飯鍋１０を加熱する加熱手段である誘導加熱コイルが配設されている。さらに、炊飯鍋１０の温度を検出するための温度検出手段として炊飯鍋用温度センサが保護枠を貫通するように配設されている。なお、これら内胴、保護枠、誘導加熱コイルおよび炊飯鍋用温度センサは、従来と同様のものであり、図１には図示していない。また、前記肩体１４には、その背部に蓋体１８を回動可能に軸着するためのヒンジ接続部１６が設けられている。そして、このヒンジ接続部１６には、別体のヒンジカバー１７が配設されている。
【００１６】
前記蓋体１８は、炊飯器本体１１の開口部１５を開閉可能に覆う蓋リング２１と、該蓋リング２１に配設した補強板３６と、蓋リング２１の上部表面を覆う蓋カバー４５とを備えている。そして、蓋リング２１には、炊飯鍋１０の上端開口を密閉する内蓋６０が着脱可能に取り付けられている。また、蓋体１８の内部である蓋リング２１には、金属製のヒータカバー１９を介して加熱手段である蓋ヒータ２０が配設されている。
【００１７】
図２および図３に示すように、蓋リング２１は、前記肩体１４の上側の窪み形状と対応する形状をなす樹脂製のものである。この蓋リング２１の背部には、肩体１４のヒンジ接続部１６に回動可能に軸着される軸着部２２が設けられている。また、ヒンジ接続部１６と逆側に位置する蓋リング２１の前部には、ロック部材５０を回動可能に取り付けるロック部材配設部２３が設けられている。このロック部材配設部２３は、前部両側に位置するようにロック部材５０のロック爪５０ａを貫通させる貫通孔２４を備えている。
【００１８】
そして、本実施形態では、ロック部材配設部２３の中央背部に位置する蓋リング２１の前部中央に、内蓋ロック部を構成するスライド部材配設部２５が設けられている。このスライド部材配設部２５は、下向きに窪む凹溝部２６と、該凹溝部２６の先方に位置する貫通部２７とからなり、上方を開口したものである。凹溝部２６の底には、前側の所定位置にスプリング受部２８が上向きに突設されている。また、このスライド部材配設部２５の前方には、スライド部材５２の前部を挿通する下端開口および前後両端を開口した挿通溝２９が設けられ、この挿通溝２９の両側壁に前後方向に延びる凸条（レール）からなるガイド部３０が突設されている。
【００１９】
さらに、本実施形態の蓋リング２１には、炊飯鍋１０の開口上方に位置するように、炊飯鍋１０内に大気圧より高い圧力を投入するための加圧部品を配設するための加圧機構配設部３１が設けられている。この加圧機構配設部３１には、リリーフ弁６５を収容する略半球状をなす収容部３２が上向きに膨出するように設けられている。また、圧力センサ（図示せず）が炊飯鍋１０内を臨むように配設するためのセンサ貫通孔３３が設けられている。そして、この調圧部品配設部と軸着部２２との間には、排気経路の一部を構成する排気用開口部３４が設けられている。なお、蓋リング２１の前部のロック部材配設部２３から背部の軸着部２２にかけた中央部を除く両側部には、撓みを防止するための補強リブ３５が設けられている。
【００２０】
前記補強板３６は、蓋リング２１において、補強リブ３５の非形成領域である軸着部２２からロック部材配設部２３にかけた中央前後にかけて配設する金属製のものである。本実施形態の補強板３６は、スライド部材５２を、スライド部材配設部２５の後端に位置する第１後退位置から、所定間隔だけ前方に進出させた第２後退位置で停止させる位置決め部材の役割をなす。具体的には、補強板３６は、両側に位置する逆Ｌ字形状の枠部３７，３７と、これら枠部３７，３７を連続する矩形状をなす板部４２とを備えている。
【００２１】
前記枠部３７，３７には、軸着部２２に位置する後端にヒンジピン３８を貫通させるピン孔３９が設けられている。また、ロック部材配設部２３に位置する前端に、ロック部材５０を回動可能に軸着する軸（図示せず）を貫通させる軸孔４０が設けられている。さらに、前後方向に所定間隔をもって蓋リング２１にネジ止めするためのネジ挿通孔４１が設けられている。
【００２２】
前記板部４２は、軸着部２２とロック部材配設部２３との間にかけて延びる矩形状のもので、加圧機構配設部３１に配設するソレノイド６８や収容部３２を貫通させる貫通部と排気用開口部３４に対応する排気部とを一体とした貫通孔４３が設けられている。そして、本実施形態では、スライド部材配設部２５の上部に位置するように、スライド部材５２を第２後退位置から進出位置にかけた範囲でのみスライド可能に規制する規制溝４４が設けられている。この規制溝４４は、補強板３６を蓋リング２１に組み付けた状態で、ピン孔３９の側に位置する後端縁がスライド部材配設部２５の後端より前方に位置し、この第２後退位置から、スライド部材５２のスライド方向である前方に向けて延びるように設けられ、第２後退位置からの後方への移動を阻止し、前方への移動を可能としている。
【００２３】
前記蓋カバー４５は、図１に示すように、蓋リング２１の上部に固定することにより、蓋体１８の閉塞状態で炊飯器本体１１と一体的な流曲線形状をなす樹脂製のものである。この蓋カバー４５には、排気用開口部３４と対応する位置に、蒸気口ユニット４６を着脱可能に配設する配設凹部４７が設けられている。また、蓋カバー４５の前部には、蓋体１８を開放操作するための回動可能な操作部材４８を露出させる露出孔４９が設けられている。
【００２４】
前記蓋リング２１のロック部材配設部２３に配設するロック部材５０は、貫通孔２４，２４を貫通する一対のロック爪５０ａ，５０ａを備え、図示しないスプリングによってロック方向に付勢され、肩体１４のロック穴（図示せず）にロックすることにより、蓋体１８を炊飯器本体１１に対して開放不可能に維持するものである。また、このロック部材５０には、操作部材４８の下向きの操作を受けて、該ロック部材５０によるロックを解除する一方、ソレノイド６８を動作させた加圧時には、該ソレノイド６８に連結したリンク部材６９が下部に進入することにより、蓋体１８の開放を不可能とする操作受部５１が突設されている。
【００２５】
前記蓋リング２１のスライド部材配設部２５に配設するスライド部材５２は、蓋リング２１のスライド部材配設部２５およびガイド部３０と、補強板３６とで蓋リング２１に内蓋６０を着脱可能に取り付けるための内蓋ロック部を構成するものである。このスライド部材５２は、図２および図３に示すように、スライド部材配設部２５に対してスライド可能に配設されるとともに、付勢手段であるスプリング５６によって後退位置に付勢された状態で配設されるものである。
【００２６】
具体的には、スライド部材５２は、平面視が略矩形状をなす板状のもので、スライド部材配設部２５の前後方向の寸法より小さい全長で形成され、該スライド部材配設部２５の開口した上方から略水平状態で配置できるように構成されている。本実施形態では、スライド部材５２は、スライド部材配設部２５に対して僅かな遊びをもって遊嵌できる寸法設定としている。このスライド部材５２は、スプリング受部２８を内部に挿通する枠状の摺動部５３を備えている。この摺動部５３は、蓋リング２１の凹溝部２６に位置され、補強板３６によって挟み込まれた状態で、摺動可能にガイドされる。この摺動部５３の後端部には、補強板３６に向けて突出して規制溝４４内に挿通される位置決め凸部５４が設けられている。また、摺動部５３の後端部には、内向きに突出するスプリング位置決め部５５が設けられている。そして、このスプリング位置決め部５５と蓋リング２１のスプリング受部２８との間にスプリング５６を配設することにより、スライド部材５２全体を後退位置へ向けて付勢するように構成している。
【００２７】
また、摺動部５３の前方には、蓋リング２１への貫通部２７内を貫通し、内蓋６０の受部６４を着脱可能に係止する係止部５７が下向きに突出するように設けられている。この係止部５７には、下端後側部に上向きに傾斜する傾斜面を有する係止爪部５８が設けられている。そして、この係止部５７の両側部には、スライド部材５２をスライド部材配設部２５の後端位置から前方へ移動させると、蓋リング２１のガイド部３０を挿通し、前後方向に移動可能にガイドされる溝からなる被ガイド部５９が設けられている。即ち、本実施形態では、係止部５７の係止爪部５８は、被ガイド部５９の前端から後側に位置し、内蓋６０の取付状態では、蓋リング２１のガイド部３０の後側下部に位置するように構成されている。言い換えれば、蓋リング２１のガイド部３０は、内蓋６０を装着した状態で、スライド部材５２の被ガイド部５９より更に前方に延びるように構成されている。
【００２８】
図１および図３に示すように、前記内蓋６０は、放熱板の役割をなす金属製の内蓋本体６１と、炊飯鍋１０の開口内周部に密着してシールする蓋パッキン６２と、蓋パッキン６２を内蓋本体６１との間に離脱不可能に装着する樹脂枠６３とを備えている。そのうち、樹脂枠６３には、前記蓋体１８のヒンジ接続部１６と対応する後側に、下板に形成した位置決め凹部２１ａに対応する位置決め部（図示せず）が突設されている。また、前記内蓋ロック部を構成するスライド部材５２の係止部５７に対応する前側には、スプリング５６の付勢力に抗してスライド部材５２を進出させるとともに、前記スライド部材５２の係止部５７に係止する受部６４が設けられている。この受部６４は、前記スライド部材５２における係止部５７の係止爪部５８に係止する爪を形成したものである。
【００２９】
そして、本実施形態の内蓋６０には、蓋体１８に取り付けることにより、蓋リング２１の収容部３２内に配置されるリリーフ弁６５が一体的に配設されている。また、内蓋本体６１において、センサ貫通孔３３に対応する位置には露出孔（図示せず）が設けられている。なお、リリーフ弁６５は、排気経路を構成する通気孔６６を閉塞する球状部材６７を備え、炊飯鍋１０内が1.20から1.25ａｔｍに昇圧すると、その圧力で通気孔６６上から離間し、炊飯鍋１０内の圧力を大気に開放するものである。また、球状部材６７は、また、蓋リング２１に配設したソレノイド６８により、通気孔６６を閉塞不可能な開放状態と、通気孔６６を閉塞可能な密閉状態に切り換えられる。さらに、ソレノイド６８には、その進退動作に連動するリンク部材６９が配設され、密閉状態では、ロック部材５０の操作受部５１の下部に進入することにより蓋体１８を開放不可能とし、開放状態では、操作受部５１の下部から後退することにより、蓋体１８を開放可能とするものである。
【００３０】
このように構成した炊飯器の蓋体１８を組み立てる際には、まず、図４（Ａ）に示すように、蓋リング２１のスライド部材配設部２５に対してスライド部材５２を上方から配置する。この際、本実施形態では、スライド部材５２の全長をスライド部材配設部２５の全長より小さい寸法で形成しているため、スライド部材５２を水平状態のままで簡単にスライド部材配設部２５に配置することができる。
【００３１】
ついで、蓋リング２１のスプリング受部２８とスプリング位置決め部５５との間にスプリング５６を配設し、スライド部材５２を後方に向けて付勢する。これにより、スライド部材５２は、図示のように、スライド部材配設部２５に対して後端に当接した第１後退位置までスライドした状態で付勢される。
【００３２】
ついで、図４（Ｂ）、図５および図６に示すように、蓋リング２１に対して上方から補強板３６を配置する。この際、第１後退位置に位置しているスライド部材５２をスプリング５６の付勢力に抗して前方へ進出させ、位置決め凸部５４を補強板３６の規制溝４４内に挿通させる。そうすると、スライド部材５２の摺動部５３は、蓋リング２１の凹溝部２６と補強板３６に挟まれ、摺動可能にガイドされた状態になる。また、スライド部材５２は、スプリング５６の付勢力によって位置決め凸部５４が規制溝４４の後端縁に当接し、第１後退位置より前方に位置する第２後退位置で停止する。また、この所定間隔をもった進出により、スライド部材５２の先端が蓋リング２１の挿通溝２９内に進入し、該挿通溝２９に設けたガイド部３０にスライド部材５２の被ガイド部５９が移動可能に係合する。
【００３３】
ついで、従来と同様に、蓋リング２１に対してロック部材５０を回動可能に取り付けるとともに、リリーフ弁６５を動作させるソレノイド６８や圧力センサなどの加圧部品を配設する。その後、蓋リング２１に対して蓋カバー４５を取り付けるとともに、蓋体１８を炊飯器本体１１に対して回動可能に取り付ける。
【００３４】
このように組み立てた蓋体１８に内蓋６０を取り付ける際には、内蓋６０の後端の位置決め部を蓋体１８の位置決め凹部２１ａに引っ掛けるように係止させた後、受部６４を設けた前端側をスライド部材５２の係止部５７に向けて回動させる。そして、受部６４が係止部５７に当接すると、内蓋６０を蓋体１８に向けて押し付けることにより、図４（Ｃ）に示すように、スライド部材５２を前方に進出させ、受部６４を係止部５７に係止させる。この際、本実施形態では、スライド部材５２が前後両端がガイドされ、その中間位置で内蓋６０との係合がなされるように構成している。そのため、スライド部材５２の前端部が上下方向に移動する（ガタツク）ことはない。また、内蓋６０は、進出位置にスライドされたスライド部材５２により後方に付勢され、予め設定した取付位置に精度よく取り付けることができる。
【００３５】
なお、内蓋６０を蓋体１８に取り付けていない場合には、スライド部材５２は第２後退位置に後退している。そのため、この内蓋６０の非取付状態でユーザが蓋体１８を閉じようとした場合には、スライド部材５２の係止部５７が炊飯鍋１０の上端に設けたフランジ部に当接する。これにより、ロック部材５０のロック爪５０ａが炊飯器本体１１のロック穴にロックする位置まで蓋体１８を回動させることができず、蓋体１８を炊飯器本体１１に対して閉塞できない。
【００３６】
このように、本実施形態では、スライド部材５２を蓋リング２１に対して煩わしい組付作業を行う必要なく、容易に配置できる。また、スライド部材５２の配置後には、位置決め部材を構成する補強板３６を配設することにより、スライド部材５２を第２後退位置に位置決めできる。さらに、この第２進出位置では、蓋リング２１に設けたガイド部３０にスライド部材５２の被ガイド部５９がガイドされるため、内蓋６０を取り付けていない状態でのスライド部材５２の先端のガタツキを防止できる。その結果、スライド部材５２の横方向のスライド動作を安定させることができ、内蓋６０の取付作業性を向上できるとともに、内蓋６０の取付精度を向上できる。また、取付精度を向上できるため、内蓋６０を取り付けた蓋体１８を炊飯器本体１１に対して閉塞する際に、内蓋６０を構成する蓋パッキン６２が炊飯鍋１０の開口に過剰に干渉することを防止できる。よって、蓋体１８の閉塞作業性をも向上できる。
【００３７】
しかも、本実施形態では、位置決め部材として既存の補強板３６を利用しているため、部品が増加することを防止でき、コスト高になることを防止できる。さらに、スライド部材５２は、係止部５７の係止爪部５８を、被ガイド部５９の前端から後側に位置するように形成し、後側の摺動部５３とで、前後両端でガイドする構成としているため、内蓋６０の取付作業性および取付精度を確実に向上できる。
【００３８】
なお、本発明の炊飯器は、前記実施形態の構成に限定されるものではなく、種々の変更が可能である。
【００３９】
例えば、前記実施形態では、係止部５７はスライド部材５２の前端に位置するように設け、係止爪部５８を前端側に位置するように設けたが、図７（Ａ），（Ｂ）に示すように、前端から所定間隔をもって後側に位置するように設け、内蓋６０を取り付けた状態で、係止爪部５８がガイド部３０より後側に位置するように構成してもよい。このようにすれば、係止爪部５８の前後両側でガイドされた状態になるため、スライド部材５２に加わる負荷を確実に分散し、スライド動作を安定させることができる。
【００４０】
また、前記実施形態では、位置決め部材を既存の補強板３６により構成したが、図８に示すように、スライド部材配設部２５の後端部に別体のスペーサ７０からなる位置決め部材をネジ止めなどによって配設する構成としてもよい。このようにすれば、図示のように、補強板３６が不要な炊飯器、即ち、炊飯鍋１０内を大気圧より高い圧力に昇圧しない非圧力方式の炊飯器であっても適用可能である。
【００４１】
さらに、この場合には、図示のように、スペーサ７０に前向きに延び、スライド部材５２の摺動部５３の上面を支持する支持片７１を設けることが好ましい。但し、スライド部材５２の第２後退位置で、ガイド部３０と被ガイド部５９との係合代を十分に確保すれば、この支持片７１は必ずしも設ける必要はない。また、補強板３６を搭載する炊飯器では、スペーサ７０に相当するスペーサ片を、補強板３６に設けてもよい。
【図面の簡単な説明】
【００４２】
【図１】本発明の実施形態に係る炊飯器を示す部分断面図である。
【図２】本発明の特徴を示す分解斜視図である。
【図３】本発明の特徴を示す分解断面図である。
【図４】（Ａ）は蓋リングにスライド部材を配設した第１後退位置、（Ｂ）は更に補強板を配設した第２後退位置、（Ｃ）は更に内蓋を配設した進出位置の状態を示す断面図である。
【図５】図４（Ｂ）の状態を示す上方斜視図である。
【図６】図４（Ｂ）の状態を示す下方斜視図である。
【図７】（Ａ），（Ｂ）は本発明の変形例を示す断面図である。
【図８】本発明の他の変形例を示す分解断面図である。
【符号の説明】
【００４３】
１０…炊飯鍋
１１…炊飯器本体
１５…開口部
１８…蓋体
２１…蓋リング
２５…スライド部材配設部
２８…スプリング受部
２９…挿通溝
３０…ガイド部
３６…補強板（位置決め部材）
４４…規制溝
４５…蓋カバー
５２…スライド部材
５４…位置決め凸部
５６…スプリング（付勢部材）
５７…係止部
５９…被ガイド部
６０…内蓋
６４…受部
【図１】
0005085264.tif 000002
【図２】
0005085264.tif 000003
【図３】
0005085264.tif 000004
【図４】
0005085264.tif 000005
【図５】
0005085264.tif 000006
【図６】
0005085264.tif 000007
【図７】
0005085264.tif 000008
【図８】
0005085264.tif 000009